(57)【特許請求の範囲】
【請求項１】
水平方向に延びる連結部、および、この連結部を介して上端部どうしが連結され、内面どうしが向かい合うとともに下方に向かうにつれて遠ざかるように傾斜する金属製の一対の板体、を有する表示塔本体と、
上記一対の板体の下端部に取り付けられるベース部材と、を備えた表示塔であって、
上記表示塔本体は、一枚の板材を折り曲げることにより、上記連結部および上記一対の板体を一体に有するように形成されており、
上記一対の板体のうち少なくとも一方は、上記連結部が延びる第１方向に直角である断面において、外側が凸となるように湾曲していることを特徴とする、表示塔。
【請求項２】
上記各板体の下端部には係止部が設けられており、
上記ベース部材は、上記係止部を開口部から差し込んで係止させる一対の被係止部を有する、請求項１に記載の表示塔。
【請求項３】
上記各係止部は、所定幅を有し、かつ上記第１方向に直角である断面において外側に屈曲するＬ字状とされており、
上記各被係止部は、上記係止部に対応する凹状形状とされている、請求項２に記載の表示塔。
【請求項４】
上記ベース部材には、上記開口部における内側の端縁から外側に向けて延び、かつ弾性的に折り曲げ可能な庇部が設けられている、請求項３に記載の表示塔。
【請求項５】
上記ベース部材は、所定の厚さを有し、かつ一体形成されたゴム製プレートからなり、弾性的に折り曲げ可能である、請求項１ないし４のいずれかに記載の表示塔。
【請求項６】
上記ベース部材の底面には、上記第１方向と平行に延びる切り込みが形成されている、請求項５に記載の表示塔。
【発明の詳細な説明】
【技術分野】
【０００１】
本発明は、道路における通行区域や駐輪・駐車区域などを規制するのに用いられる表示塔に関する。
【背景技術】
【０００２】
従来、歩道や車道などに配置される交通規制用の表示塔として、たとえば鉄板を折り曲げて山形状に構成したものが知られている（たとえば、特許文献１を参照）。このような表示塔は、頂部が水平方向に延びる連結部とされており、この連結部を介して上端部どうしが連結されることより、内面どうしが向かい合う一対の板体を有する構成とされている。一対の板体の外面（外側を向く面）には、適当な表記が施される。
【０００３】
特許文献１に開示された表示塔においては、板体の下端部に保護部材が取り付けられている。このように保護部材が装着される構成によれば、たとえば表示塔が道路上に落下させられるなどによって板体の下端部に大きな衝撃が加わった場合でも、保護部材により衝撃を吸収し、当該下端部の変形を防止することができる。
【０００４】
しかしながら、道路上に配置された表示塔については、様々な外力が加わる場合がある。たとえば、歩道に置かれた表示塔に対して、歩行者や自転車が不用意に衝突する場合があり、比較的大きい面積を有する板体においては、衝突時の衝撃荷重等によって曲げなどの変形が生じるおそれがあった。また、歩行者が表示塔に座ったり、あるいはもたれかかったりすると、表示塔の上端に位置する連結部に対して、下向きに比較的大きい荷重が作用する。これにより、一対の板体の下端部が開くように変形するおそれがあった。
【先行技術文献】
【特許文献】
【０００５】
【特許文献１】特開平１０−３１７３３１号公報
【発明の概要】
【発明が解決しようとする課題】
【０００６】
本発明は、このような事情のもとで考え出されたものであって、山形状をなす一対の板体を備えた表示塔において、不当な変形を防止するのに適した表示塔を提供することを課題とする。
【課題を解決するための手段】
【０００７】
上記の課題を解決するため、本発明では、次の技術的手段を講じている。
【０００８】
本発明によって提供される表示塔は、水平方向に延びる連結部、および、この連結部を介して上端部どうしが連結され、内面どうしが向かい合うとともに下方に向かうにつれて遠ざかるように傾斜する金属製の一対の板体、を有する表示塔本体と、上記一対の板体の下端部に取り付けられるベース部材と、を備えた表示塔であって、上記表示塔本体は、一枚の板材を折り曲げることにより、上記連結部および上記一対の板体を一体に有するように形成されており、上記一対の板体のうち少なくとも一方は、上記連結部が延びる第１方向に直角である断面において、外側が凸となるように湾曲していることを特徴としている。
【０００９】
上記構成の表示塔によれば、上端に位置する連結部を介して連結されることによって山形をなす一対の板体（表示塔本体）は、これら板体の下端部がベース部材によって一体的につながる構成とされている。このような構成によれば、一対の板体の下端部どうしの間隔がベース部材によって規制されるため、連結部に対して下向きに比較的大きい荷重が作用しても、これら下端部どうしが開くように変形することを防止することができる。
【００１０】
また、各板体は、外側が凸となるように湾曲しているため、たとえば板体の外側から内側に向けて荷重が作用しても、湾曲状の板体が真っ直ぐに延びる方向（下端部から連結部に向かう板体の長手軸方向）へ弾性変形する余地がある。したがって、湾曲状の板体は、上記荷重に対して長手軸方向へのフレキシビリティが十分にある。このようなことから理解されるように、板体に上記荷重が作用しても、湾曲状の板体によって上記荷重を吸収することができ、板体の変形を防止することができる。
【００１２】
好ましい実施の形態においては、上記各板体は、上下方向の辺の長さが横方向の辺の長さより大とされた長矩形状である。
【００１３】
好ましい実施の形態においては、上記各板体の下端部には係止部が設けられており、上記ベース部材は、上記係止部を開口部から差し込んで係止させる一対の被係止部を有する。
【００１４】
好ましい実施の形態においては、上記各係止部は、所定幅を有し、かつ上記第１方向に直角である断面において外側に屈曲するＬ字状とされており、上記各被係止部は、上記係止部に対応する凹状形状とされている。
【００１５】
好ましい実施の形態においては、上記ベース部材には、上記開口部における内側の端縁から外側に向けて延び、かつ弾性的に折り曲げ可能な庇部が設けられている。
【００１６】
好ましい実施の形態においては、上記係止部は、上記各板体の下端部において上記横方向の辺に対して部分的に設けられている。
【００１７】
好ましい実施の形態においては、上記ベース部材は、所定の厚さを有し、かつ一体形成されたゴム製プレートからなり、弾性的に折り曲げ可能である。
【００１８】
好ましい実施の形態においては、上記ベース部材の底面には、上記第１方向と平行に延びる切り込みが形成されている。
【００１９】
本発明のその他の特徴および利点は、添付図面を参照して以下に行う詳細な説明によって、より明らかとなろう。
【図面の簡単な説明】
【００２０】
【図１】本発明に係る表示塔の斜視図である。
【図２】図１に示す表示塔の側面図である。
【図３】図１に示す表示塔の正面図である。
【図４】図１のＩＶ−ＩＶ線に沿う断面図である。
【図５】図４の部分拡大図である。
【図６】図２のＶＩ−ＶＩ線に沿う拡大断面図である。
【図７】図２のＶＩＩ−ＶＩＩ線に沿う拡大断面図である。
【図８】自然状態における表示塔本体を表し、（ａ）は正面図、（ｂ）は側面図である。
【図９】作用を説明するための概略側面図である。
【図１０】作用を説明するための概略側面図である。
【発明を実施するための形態】
【００２１】
以下、本発明の好ましい実施の形態について、図面を参照して具体的に説明する。
【００２２】
図１〜図７は、本発明に係る表示塔を示している。図１〜図３に表れているように、本実施形態の表示塔Ａは、表示塔本体１と、ベース部材２とを備えて構成されている。本実施形態において、表示塔本体１は、所定形状を有する金属製の板材（たとえば鉄板）に折り曲げ加工を施すことによって形成されたものであり、全体として山形状に構成されている。具体的には、表示塔本体１は、頂部に位置し、水平方向であるＸ方向（第１方向）に延びる連結部１１と、この連結部１１を介して上端部１２１どうしが連結された一対の板体１２とを有する。一対の板体１２は、内面１２ｃどうしが向かい合うとともに下方に向かうにつれて遠ざかるように傾斜しており、山形をなしている。
【００２３】
図３によく表れているように、各板体１２は、長矩形状とされており、上下方向の辺１２ａの長さが横方向の辺１２ｂの長さよりも大である。各板体１２の外面１２ｄには、適宜、文字や図形等を用いた表記（図示略）が施される。また、図２および図４に表れているように、各板体１２は、連結部１１が延びるＸ方向に直角である断面において、外側が凸となるように緩やかに湾曲している。ここで、外側とは、一方の板体１２から見て他方の板体１２が位置する側とは反対側（当該一方の板体１２の外面１２ｄ側）を意味する。板体１２の各部の寸法の一例を挙げると、上下方向の辺１２ａの長さが６７ｃｍ程度、横方向の辺１２ｂの長さが２５ｃｍ程度、板体１２の厚さが１ｍｍ程度である。また、板体１２の曲率半径は、たとえば４０５ｃｍ程度である。
【００２４】
各板体１２の下端部１２２には、係止部１３が設けられている。係止部１３は、後述するベース部材２の被係止部２１２に係止される部分であり、図４および図５に表れているように、Ｘ方向に直角である断面において、外側に屈曲するＬ字状とされている。また、図３および図８に表れているように、係止部１３は、一定幅を有し、横方向の辺１２ｂに対して、その中央に部分的に設けられている。本実施形態では、係止部１３は、板体１２と一連につながっており、板体１２の下端部１２２に相当する部位から突出する板片に対して、折り曲げ加工を施すことにより形成される。
【００２５】
ベース部材２は、表示塔Ａの土台となる部分であり、図１および図２に表れているように、一対の板体１２の下端部１２２に取り付けられている。ベース部材２は、平面視において概略矩形状を有するゴム製プレートであり、たとえば金型成型により一体形成されたものである。ベース部材２は、弾性的に折り曲げ可能とされている。
【００２６】
ベース部材２は、一対の取付部２１と、これら取付部２１の間に位置する中央部２２とを有する。一対の取付部２１は、平面視においてＸ方向に直角であるＹ方向の両端部に配されており、両板体１２の下端部１２２に対応する位置にある。
【００２７】
図４、図５に表れているように、各取付部２１は、開口部２１１と、被係止部２１２と、庇部２１３とを有する。開口部２１１は、係止部１３を上方から差し込むために形成された開口である。本実施形態では、開口部２１１は、取付部２１の厚さ方向に貫通状に形成されており、平面視において、係止部１３を上方から差し込み可能なサイズとされている。取付部２１の厚さは、たとえば３０ｍｍ程度とされる。
【００２８】
被係止部２１２は、開口部２１１を通じて差し込まれた係止部１３を係止させる部分であり、係止部１３の形状に対応する凹状形状とされている。
【００２９】
庇部２１３は、開口部２１１における内側の端縁から外側に向けて延びるシート状とされており、弾性的に折り曲げ可能である。本実施形態では、係止部１３が被係止部２１２に係止させられた状態において、係止部１３と庇部２１３の先端縁との間には、僅かな隙間を有する。
【００３０】
中央部２２は、一対の取付部２１を一体的につなぐ部分である。中央部２２の厚さは、たとえば２０ｍｍ程度とされており、取付部２１の厚さ（３０ｍｍ程度）よりも小とされている。また、中央部２２の底面には、Ｙ方向の中央において、Ｘ方向と平行に延びる切り込み２２１が形成されている。
【００３１】
上記構成の表示塔本体１は、図８に表れているように、自然状態において、一対の板体１２のそれぞれが上端部１２１から下端部１２２までほぼ真っ直ぐに延びており、板体１２の下端部１２２（係止部１３）どうしの間隔は、ベース部材２が取り付けられたときよりも大きい。一対の板体１２の下端部１２２に対して、自然状態におけるこれら下端部１２２どうしの間隔よりも狭めた状態にてベース部材２を取り付けることにより、板体１２は、弾性復元力により外側に凸となるように湾曲する。また、この板体２の弾性復元により、断面Ｌ字状の係止部１３は、被係止部２１２に係止される。
【００３２】
上記構成の表示塔Ａは、たとえば歩道などの道路上に配置されて使用される。
【００３３】
次に、上記した表示塔Ａの作用について説明する。
【００３４】
本実施形態の表示塔Ａにおいて、上端に位置する連結部１１を介して連結されることによって山形をなす一対の板体１２（表示塔本体１）は、これら板体１２の下端部１２２がベース部材２によって一体的につながる構成とされている。このような構成によれば、一対の板体１２の下端部１２２どうしの間隔がベース部材２によって規制されるため、連結部１１に対して下向きに比較的大きい荷重が作用しても、これら下端部１２２どうしが開くように変形することを防止することができる。
【００３５】
また、各板体１２は、外側が凸となるように湾曲している。このため、たとえば図９において模式的に表すように、板体１２の外側から内側に向けて衝撃荷重等の荷重Ｐが作用しても、湾曲状の板体１２が真っ直ぐに延びる方向（下端部１２２から連結部１１に向かう板体１２の長手軸方向Ｎ１）へ弾性変形する余地がある。したがって、湾曲状の板体１２は、荷重Ｐに対して長手軸方向Ｎ１へのフレキシビリティが十分にある。また、本実施形態では、他方の板体１２も外側が凸となるように湾曲しているため、当該他方の板体１２においても下端部１２２から連結部１１に向かう長手軸方向Ｎ２へのフレキシビリティが十分にある。このようなことから理解されるように、板体１２に荷重Ｐが作用しても、湾曲状の板体１２によって荷重Ｐを吸収することができ、板体１２の変形を防止することができる。
【００３６】
本実施形態と異なり、板体１２’が湾曲せずに下端部から上端部にかけて真っ直ぐな平面状である場合について、図１０を参照して説明する。当該板体１２’の外側から内側に向けて衝撃荷重等の荷重Ｐが作用する場合には、上方へのフレキシビリティが殆どないため、連結部１１’が矢印方向Ｎ３に変位しやすい。そして、上下方向の辺１２ａ’の長さが相対的に長い板体１２’においては、荷重Ｐが作用する位置で折れ曲がりやすく、板体１２’が変形するおそれがある。
【００３７】
表示塔本体１は、一枚の板材を折り曲げることにより、連結部１１および一対の板体１２を一体に有するように形成されている（図８参照）。このような構成によれば、一対の板体１２の下端部１２２にベース部材２を取り付けることにより、外側が凸となるように湾曲した板体１２を容易に形成することができる。
【００３８】
各板体１２の下端部１２２には、係止部１３が設けられている。ベース部材２の一対の取付部２１には、一対の開口部２１１と、当該開口部２１１につながる一対の被係止部２１２とが設けられている。そして係止部１３をそれぞれ対応する開口部２１１から差し込むことにより、被係止部２１２に係止させることができる。このような構成によれば、下端部１２２へのベース部材２の取り付けを簡単に行うことができる。
【００３９】
図４および図５を参照して上述したように、各係止部１３は、Ｘ方向に直角である断面において外側に屈曲するＬ字状とされており、各被係止部２１２は、係止部１３に対応する凹状形状とされている。このような外側に屈曲するＬ字状の係止部１３を有する構成によれば、Ｌ字状の係止部１３は被係止部２１２に的確に係止される。その一方、被係止部２１２の内側には、係止部１３を差し込むための空間として開口部２１１がつながっている。これにより、板体１２の外側から内側に向けて荷重Ｐが作用した場合（図９参照）、係止部１３が内側の開口部２１１へ変位する余地がある。このような構成は、板体１２の変形を防止するうえで好ましい。
【００４０】
係止部１３は、各板体１２の下端部１２２において横方向の辺１２ｂに対して部分的に設けられている。これにより、係止部１３を開口部２１１から差し込む際には、上記横方向の辺１２ｂのうち係止部１３が設けられていない部分がベース部材２の取付部２１上面に当接し、係止部１３の開口部２１１への差し込み寸法が適切に規制される。このような構成によれば、係止部１３を被係止部２１２に係止させる作業を的確に行うことができる。
【００４１】
ベース部材２は、弾性的に折り曲げ可能とされている。このため、ベース部材２を表示塔本体１に取り付けるに際し、係止部１３を取付部２１の開口部２１１に順次差し込むときには、図５において仮想線で表するように、ベース部材２の取付部２１上面が板体１２の長手軸方向に対して略直角となるようにベース部材２を適宜折り曲げることによって、係止部１３の差し込み作業を容易に行うことが可能となる。ベース部材２の中央部２２底面には、Ｘ方向と平行に延びる切り込み２２１が形成されている。このため、上記のようなベース部材２の折り曲げ作業は、より容易に行うことができる。また、中央部２２の厚さが取付部２１の厚さよりも小とされていることも、ベース部材２の上記のような折り曲げ作業を容易に行ううえで好ましい。
【００４２】
ベース部材２には、開口部２１１における内側の端縁から外側に向けて延びる庇部２１３が設けられている。このため、図５によく表れているように、開口部２１１の大半は庇部２１３によって覆われており、開口部２１１内にゴミ等が侵入するのを防止することができる。また、この庇部２１３は、弾性的に折り曲げ可能であるため、係止部１３を開口部２１１に差し込む際に庇部２１３が当該差し込み作業の妨げとなることはない。
【００４３】
以上、本発明の具体的な実施形態を説明したが、本発明はこれに限定されるものではなく、発明の思想から逸脱しない範囲内で種々な変更が可能である。本発明に係る表示塔の各部の具体的な形状や材質なども、上記実施形態に限定されるものではない。
【符号の説明】
【００４５】
Ａ        表示塔
Ｘ        方向（第１方向）
１        表示塔本体
１１      連結部
１２      板体
１２ａ    （上下方向の）辺
１２ｂ    （横方向の）辺
１２ｃ    内面
１２ｄ    外面
１２１    上端部
１２２    下端部
１３      係止部
２        ベース部材
２１      取付部
２１１    開口部
２１２    被係止部
２１３    庇部
２２      中央部
２２１    切り込み
【図１】
0005795891.tif 000002
【図２】
0005795891.tif 000003
【図３】
0005795891.tif 000004
【図４】
0005795891.tif 000005
【図５】
0005795891.tif 000006
【図６】
0005795891.tif 000007
【図７】
0005795891.tif 000008
【図８】
0005795891.tif 000009
【図９】
0005795891.tif 000010
【図１０】
0005795891.tif 000011